(57)【特許請求の範囲】
【請求項１】
ランダムアクセス可能な媒体に記録された映像を、連続して記録された領域の小区間であるカットに分割して、それらのカットを配列することで映像の編集を行うノンリニア映像編集装置において、
映像データが記録され、その読み出しにあたっては映像データの個々のフレームごとにランダムアクセスが可能な映像記録媒体と、
上記映像記録媒体の映像データを編集する時カットごとに設定され、上記映像記録媒体中の記録位置を示すアドレスと、削除履歴による映像データの有無を示す素材有無識別子とを含むクリップ管理情報を記憶するクリップ管理情報記憶手段と、
１つ以上の上記クリップ管理情報の配列であるシーケンス情報を記憶するシーケンス情報記憶手段と、
上記シーケンス情報と、上記クリップ管理情報とを用いて、上記映像記録媒体から映像データを読み出して再生するノンリニア映像再生手段と、
上記クリップ管理情報を用いて上記映像記録媒体中の映像データを削除するとともに、上記クリップ管理情報中の上記素材有無識別子を映像データなしを示す状態に変更する素材削除部とを備えたことを特徴とするノンリニア映像編集装置。
【請求項２】
請求項１に記載のノンリニア映像編集装置において、
上記シーケンス情報と上記クリップ管理情報とを用いて、上記シーケンス情報が示す順序に従って上記映像記録媒体からカット中の一画面を読み出して表示するクリップ管理情報表示部を備え、
上記クリップ管理情報表示部は、上記クリップ管理情報の素材有無識別子の内容に応じて、上記表示対象の一画面の表示形式を変更して表示することを特徴とするノンリニア映像編集装置。
【請求項３】
請求項１又は２に記載のノンリニア映像編集装置において、上記ノンリニア映像再生手段は、上記クリップ管理情報を用いての映像の再生に際し、上記素材有無識別子が映像データなしを示す状態である場合に、あらかじめ記録された代替映像を再生するものであることを特徴とするノンリニア映像編集装置。
【請求項４】
請求項１ないし３のいずれかに記載のノンリニア映像編集装置において、
上記映像記録媒体は、２種以上の異なる圧縮率によって映像データが記録されるものであり、
上記クリップ管理情報は、映像データの圧縮率をも含むものであり、
既存のクリップ管理情報を複写して新たなクリップ管理情報を作成するにあたり、上記圧縮率を使用者により指定された圧縮率に置き換え、異なる圧縮率に置き換えた場合に、上記素材有無識別子を映像データなしを示す状態に設定するクリップ管理情報複写部を備えたものであることを特徴とするノンリニア映像編集装置。
【請求項５】
請求項１ないし４のいずれかに記載のノンリニア映像編集装置において、
上記映像記録媒体は、ＶＴＲテープから映像データが記録されるものであり、
上記クリップ管理情報は、上記ＶＴＲテープを特定するテープ識別子と、映像データの記録区間を表すテープ内タイムコードとをも含むものであり、
上記テープ識別子と上記テープ内タイムコードとに基づいて、映像データをＶＴＲテープから上記映像記録媒体に記録する再録画手段を備えたものであることを特徴とするノンリニア映像編集装置。
【請求項６】
請求項１ないし３のいずれかに記載のノンリニア映像編集装置において、
バックアップ用の映像データを記録する第２の映像記録媒体を備え、
上記クリップ管理情報は、個々のクリップ管理情報を一意に識別可能なクリップ識別子と、上記第２の映像記録媒体に対するバックアップの履歴を示すバックアップ識別子とをも含むものであり、
上記映像記録媒体に記録された映像データを、上記クリップ識別子とともに、上記第２の映像記録媒体にバックアップするバックアップ部と、
上記第２の映像記録媒体にバックアップされた映像データを、上記クリップ識別子に基づいて、上記映像記録媒体にリストアするリストア部とを備えたことを特徴とするノンリニア映像編集装置。
【発明の詳細な説明】
【０００１】
【発明の属する技術分野】
本発明はランダムアクセス可能な媒体に記録された映像を、連続して記録された領域の小区間であるカットに分割し、それらのカットを配列することで映像の編集を行うノンリニア映像編集装置に関するものである。
【０００２】
【従来の技術】
ノンリニア映像編集装置は、ハードディスクなどランダムアクセス可能な映像記録媒体に映像を記録し、そのランダムアクセス性を利用して映像編集を行うための装置である。図２０はＶＴＲ用テープ等の媒体の場合と比較して、ノンリニア映像編集装置を説明するための図である。
【０００３】
一般に映像編集にあたっては、記録媒体に記録された映像データについて、この映像データをカットと呼ばれる連続して記録された小区間に区切り、カットを並べ変えることによって編集を行う。ＶＴＲ用テープのようなテープ媒体は、データの読み出し／書き込みにあたって、一定方向にかつ順番にしか行えない、すなわちシーケンシャルアクセスしかできないものである。このような媒体に映像が記録されている場合に、その映像から任意の部分をカットとして選び出して、それを任意の順に並べ替える編集を行う場合を考える。図２０に示すように、映像からＰ〜Ｒの小区間をＱ→Ｐ→Ｒの順に並べ替えるという編集を行う場合には、Ｐ〜Ｒの小区間をカットとして字義通りに切り出し（カット）し、これを別のテープ媒体にコピー（ダビング）して、これをシーケンシャルアクセスにより再生するということを行う必要がある。
【０００４】
一方、図２０のテープ媒体の映像データをハードディスクのような、ランダムアクセス可能な媒体に記録した場合を考える。ハードディスクに記録されたデータについては、セクタという小部分の記録領域ごとに、任意の部分を高速にアクセスすることが可能である。従って、これに映像データを記録した場合には、映像の単位であるフレーム（画面）ごとにそのフレームが記録されたセクタを指定することにより、任意の部分をフレーム単位で読み出すことが可能となる。
【０００５】
従って、先のような編集をかかる媒体に記録された映像データに対して行う際には、連続して記録された小区間であるカットについては字義通りに切り出し（カット）を行う必要はなく、記録媒体におけるその両端の位置をセクタ単位で指定してやれば、任意の順で読み出して編集することが可能となる。
【０００６】
先のようにＰ〜ＲのカットをＱ→Ｐ→Ｒの順に並べ替えたい場合にこの編集の結果を再生によって見るには、Ｑ→Ｐ→Ｒの順に各カットの開始及び終了の記録部位をセクタ単位で指定してやれば良い。従って、テープのようなシーケンシャルアクセスしかできない、リニア（線形）の場合と異なり、ハードディスク等を用いたノンリニア型の編集装置でカットを並べ替える編集については、カットごとに開始及び終了部の記録部位を順番に並べた情報を作成する、というのが編集の一般的な手法である。この場合Ｑ→Ｐ→Ｒの開始及び終了の記録部位をＱ１→Ｑ２→Ｐ１…のように続けたシーケンシャルな情報、すなわちシーケンス情報を作成すれば、このシーケンス情報に従って希望の順にカットを再生することが可能となる。
【０００７】
そして、媒体へのアクセスが十分に速くさえあれば、かかる再生を人間の目にはあたかも連続して記録されたものが再生されているかのように、とぎれなく再生することも可能である。
【０００８】
図１８に従来のノンリニア映像編集装置のブロック図を示す。図において、１８５０は映像記録媒体であって、ハードディスクなどで実現される高速なランダムアクセスが可能な記録媒体であり、映像データが記録される。１８５１は表示部であって、再生された映像や編集に関わる情報等を表示する。１８５２はカット表示部であって、編集によるカットの状態を表示する機能を持つ。１８５３はノンリニア映像再生手段であって、映像記録媒体１８５０に記録された映像をシーケンス情報に基づいて再生する。１８５４は削除部であって、映像記録媒体１８５０の不要となったデータを削除して、この結果記録可能となった映像記録媒体１８５０の領域を空き情報管理部１８５５に登録する。１８５５は空き情報管理部であって、映像記録媒体１８５０の空き領域を管理する。１８５６は入力手段であって、使用者が指示や編集情報等を入力する。１８５７はシーケンス情報記憶手段であって、編集結果をシーケンス情報として記憶する。
【０００９】
この例において、映像記録媒体１８５０には、ＶＴＲ等より映像データが記録されてあり、使用者によって編集が行われた結果、分割された小区間カットＰ〜Ｒとその再生順序について、シーケンス情報１８０１が作られ、シーケンス情報記憶手段１８５７に記憶された状態にあるものとする。この時、カット表示部１８５２によって、図１９のような形式で、各カットの１画面と再生順序が表示され、使用者は視覚的に編集の状態を把握することが可能となる。
【００１０】
以上のように構成された従来の編集装置の動作を、Ａ．再生とＢ．削除の各段階ごとに、図を用いて以下に説明する。
【００１１】
Ａ．再生
使用者が図１９のような画面で、シーケンス情報１８０１を確認した上で、入力手段１８５６からシーケンス情報１８０１についての再生の指示を与えると、ノンリニア映像再生手段１８５３はシーケンス情報１８５７からシーケンス情報１８０１を読み出す。
【００１２】
ノンリニア映像再生手段１８５３は、シーケンス情報１８０１から、最初に再生すべき映像は開始アドレスＱ１から終了アドレスＱ２までの映像データであると解釈して、映像記録媒体のＱ１からＱ２までに記録された部分の映像データ、すなわちカットＱを読み出して、これを映像として再生し、映像表示部１８５１に表示する。次にノンリニア映像再生手段１８５３は、シーケンス情報１８０１から、カットＱに続くカットＰについて、次に再生すべきはＰ１からＰ２までの映像データであると解釈して、カットＱのデータの最終セクタ部分の映像データの再生が終わるや否や、カットＰの開始アドレスＰ１にアクセスし、映像記録媒体１８５０の高速なランダムアクセス性を利用して見かけ上カットＱに連続してカットＰの開始アドレスＰ１から終了アドレスＰ２までのセクタの映像データを再生する。このようにシーケンス情報を順次解釈し、それに従って映像記録媒体１８５０から映像データを読み出して次々と、見かけ上連続して再生することが従来のノンリニア映像編集装置では行われる。
【００１３】
もっとも実際には、ランダムアクセスにかかる時間は決して０（ゼロ）ではないので、例えば特願平５−３４９７１３に示されるように、バッファを介してカットの先読みを行うような手段がとられるが、ここではかかる手段は、ノンリニア映像再生手段が内包しているものとして、説明は省略する。
【００１４】
Ｂ．削除
数多くの映像データを映像記録媒体１８５０に記録すると、やがて映像記録媒体１８５０の容量の限界に近くなり、新たな映像データを記録できなくなる。このような場合に使用者が不要なカットを指定すると、削除部１８５４が、指定されたカットが記録されていた領域を空き領域管理部１８５５に登録する。この結果、新たな映像データをＶＴＲ等から記録する時は、空き領域管理部１８５５によって空き領域を見つけて、そこに映像データを記録することができる。
【００１５】
例えばカットＰを削除する場合、削除部１８５４はカットＰに対応する開始アドレスＰ１から終了アドレスＰ２までの映像記録媒体１８５０中の領域を使用可能な領域として、空き領域管理部１８５５に登録する。
【００１６】
削除によって、カットＰであった映像データは読み出すことができなくなり、従来の編集装置の場合、一連のカットのつながりからなるシーケンス情報については一部のカットが削除された場合にこれを再生することができないので、カットを削除するとともに、削除されたカットが含まれるシーケンス情報も削除するということが通常行われていた。この場合削除されたカットＰを含んだシーケンス情報１８０１は削除され、Ｐ〜Ｒのカットを編集した編集結果もこの時点で放棄されることになる。
【００１７】
【発明が解決しようとする課題】
映像編集装置を使用するにあたって、ある映像編集を行っている途中で、急に別の映像編集を割り込み作業として行わなければならない場合などに、映像記録媒体が十分な記録容量を持っていれば問題ないが、実際にはノンリニア編集を行いうる映像記録用の高速な記録媒体はまだまだ高価であるため、限られた容量で編集作業をせざるを得ないことも多く、割り込みでの編集作業で用いる映像の量が多いならば、先に行っていた映像編集での映像を削除しなければ映像記録媒体の容量不足をきたし、編集作業をはたせない場合が生じる。
【００１８】
ところが、従来の編集装置では一旦映像記録媒体から削除部を用いて映像を削除してしまうと、割り込みでの編集作業が終わり元の編集作業を再開した時に、消してしまった映像を復活させる手段がない。また、割り込み以前に作成していたシーケンス情報も上記の説明のように再生不可能となるので削除せざるを得ず、編集の結果も放棄することになり、元の編集作業の再開に際しては、同様の編集をやり直す必要があった。
【００１９】
また、映像情報は様々な異なる圧縮率において保存されるものであるが、ある圧縮率で記録した映像データによって編集を行った場合、他の圧縮率でこの編集結果を再生しようとすると、先の編集結果は放棄して、希望する圧縮率で映像データを再度得て、これを編集する他はなかった。
【００２０】
本発明はかかる点に鑑みてなされたものであり、何らかの理由により映像記録部中の映像データを削除しても、削除したデータに関連する編集情報が保存されるノンリニア映像編集装置を提供することを目的とする。
【００２１】
また、削除したデータの含まれる編集情報の画面表示にあたり、削除したデータであることを示す画面表示の可能なノンリニア映像編集装置を提供することを目的とする。
【００２２】
また、削除したデータの含まれる編集結果を再生するにあたり、削除したデータであることを示す代替映像を再生するノンリニア映像編集装置を提供することを目的とする。
【００２３】
また、保存した編集情報に基づいて、削除したデータをテープ媒体等から再録画することのできるノンリニア映像編集装置を提供することを目的とする。
【００２４】
また、映像データが異なる圧縮率において記録され得る場合に、編集情報を圧縮率を変更して複写することができ、これをデータの削除された編集情報と同等に扱い得るノンリニア映像編集装置を提供することを目的とする。
【００２５】
また、ストリーマ等の第二の媒体に映像データと編集情報とをバックアップし、データが削除された場合にもバックアップ媒体から該当する部分をリストアすることの可能なノンリニア映像編集装置を提供することを目的とする。
【００２６】
【課題を解決するための手段】
上記の目的を達成するため、請求項１にかかる発明は、ランダムアクセス可能な媒体に記録された映像を、連続して記録された領域の小区間であるカットに分割して、それらのカットを配列することで映像の編集を行うノンリニア映像編集装置において、映像データが記録され、その読み出しにあたっては映像データの個々のフレームごとにランダムアクセスが可能な映像記録媒体と、上記映像記録媒体の映像データを編集する時カットごとに設定され、上記映像記録媒体中の記録位置を示すアドレスと、削除履歴による映像データの有無を示す素材有無識別子とを含むクリップ管理情報を記憶するクリップ管理情報記憶手段と、１つ以上の上記クリップ管理情報の配列であるシーケンス情報を記憶するシーケンス情報記憶手段と、上記シーケンス情報と、上記クリップ管理情報とを用いて、上記映像記録媒体から映像データを読み出して再生するノンリニア映像再生手段と、上記クリップ管理情報を用いて上記映像記録媒体中の映像データを削除するとともに、上記クリップ管理情報中の上記素材有無識別子を映像データなしを示す状態に変更する素材削除部とを備えたことを特徴とするノンリニア映像編集装置である。
【００２７】
また、請求項２にかかる発明は、請求項１に記載のノンリニア映像編集装置において、上記シーケンス情報と上記クリップ管理情報とを用いて、上記シーケンス情報が示す順序に従って上記映像記録媒体からカット中の一画面を読み出して表示するクリップ管理情報を備え、上記クリップ管理情報表示部は、上記クリップ管理情報の素材有無識別子の内容に応じて、上記表示対象の一画面の表示形式を変更して表示することを特徴とするノンリニア映像編集装置である。
【００２８】
また、請求項３にかかる発明は、請求項１又は２に記載のノンリニア映像編集装置において、上記ノンリニア映像再生手段は、上記クリップ管理情報を用いての映像の再生に際し、上記素材有無識別子が映像データなしを示す状態である場合に、あらかじめ記録された代替映像を再生するものであることを特徴とするノンリニア映像編集装置である。
【００２９】
また、請求項４にかかる発明は、請求項１ないし３のいずれかに記載のノンリニア映像編集装置において、上記映像記録媒体は、２種以上の異なる圧縮率によって映像データが記録されるものであり、上記クリップ管理情報は、映像データの圧縮率をも含むものであり、既存のクリップ管理情報を複写して新たなクリップ管理情報を作成するにあたり、上記圧縮率を使用者により指定された圧縮率に置き換え、異なる圧縮率に置き換えた場合に、上記素材有無識別子を映像データなしを示す状態に設定するクリップ管理情報複写部を備えたものであることを特徴とするノンリニア映像編集装置である。
【００３０】
また、請求項５にかかる発明は、請求項１ないし４のいずれかに記載のノンリニア映像編集装置において、上記映像記録媒体は、ＶＴＲテープから映像データが記録されるものであり、上記クリップ管理情報は、上記ＶＴＲテープを特定するテープ識別子と、映像データの記録区間を表すテープ内タイムコードとをも含むものであり、上記テープ識別子と上記テープ内タイムコードとに基づいて、映像データをＶＴＲテープから上記映像記録媒体に記録する再録画手段を備えたものであることを特徴とするノンリニア映像編集装置である。
【００３１】
また、請求項６にかかる発明は、請求項１ないし３のいずれかに記載のノンリニア映像編集装置において、バックアップ用の映像データを記録する第２の映像記録媒体を備え、上記クリップ管理情報は、個々のクリップ管理情報を一意に識別可能なクリップ識別子と、上記第２の映像記録媒体に対するバックアップの履歴を示すバックアップ識別子とをも含むものであり、上記映像記録媒体に記録された映像データを、上記クリップ識別子とともに、上記第２の映像記録媒体にバックアップするバックアップ部と、上記第２の映像記録媒体にバックアップされた映像データを、上記クリップ識別子に基づいて、上記映像記録媒体にリストアするリストア部とを備えたことを特徴とするノンリニア映像編集装置である。
【００３２】
【発明の実施の形態】
実施の形態１．
本発明の実施の形態１によるノンリニア映像編集装置は、一部の映像データを削除した場合でも編集情報を保存できるものであって、編集情報に従った再生においてデータが削除されている場合には、代替映像を再生するものである。
【００３３】
図１は本発明の実施の形態１によるノンリニア映像編集装置の構成を示すブロック図である。図において、１５０は映像記録媒体であって、ハードディスクなどで実現される高速なランダムアクセスが可能な記録媒体であり、セクタと呼ばれる記録単位を持ち、映像データが記録され、セクタごとのランダムアクセスが可能である。１５１はシーケンス情報記憶手段であって、編集情報であるシーケンス情報を記憶する。１５２はクリップ管理情報記憶手段であって、編集情報であるクリップ管理情報を記憶する。１５３は表示部であって、編集情報や再生された映像を表示する。１５４はクリップ管理情報表示部であって、クリップ管理情報の内容や順序を表示する。１５５はノンリニア映像再生手段であって、編集情報に基づいて映像を再生する。ノンリニア映像再生手段１５５は代替映像再生機能を有し、編集情報から判定して、再生すべき映像データが削除されていることが分かった場合に、あらかじめ記録媒体中に記録された代替映像をデータに代えて再生することができる。１５６は素材削除部であって、映像記録媒体中の映像データを削除し、削除された映像データに対応するクリップ管理情報中の素材有無識別子をデータなしに設定する。１５７は入力手段であって、使用者が指示等を入力する。
【００３４】
ここでは、映像記録媒体１５０にはＶＴＲなどからの映像が映像データとして記憶されており、カットＡからカットＤの各部分と、Ａ→Ｃ→Ｂ→Ｄという順とを指定するという編集結果が、編集情報であるクリップ管理情報とシーケンス情報として、それぞれの記憶手段に記憶されているものとする。
【００３５】
Ａ〜Ｄそれぞれのカットについて、対応するクリップ管理情報１０２〜１０５がクリップ管理情報記憶手段１５２に記録されている。１０２〜１０５のクリップ管理情報は、映像記録媒体１５０中に記録された領域の開始アドレス及び終了アドレスを情報として保持しており、これが各カットの連続した範囲を指定する情報である。そして、クリップ管理情報はまた、そのクリップ管理情報が指すカットの映像データが削除されたものかどうかを、「上記映像記録媒体中に存在するか否か」として表す素材有無識別子をも情報として持つ。この段階では、カットＡ〜Ｄのいずれも素材有無識別子は「素材あり」を示す状態になっている。
【００３６】
また、Ａ→Ｃ→Ｂ→Ｄというカットの再生順序は、それぞれのカットに対応するクリップ管理情報の順序を示すシーケンス情報１０６として、シーケンス情報記憶手段１５１に記憶されている。このように編集された結果は図２に示すように、使用者はその内容をクリップ管理情報表示部１５４によって画面で確認できる。画面には再生の順に従ってカット中の１画面が表示されている。
【００３７】
図３は、ノンリニア映像再生手段１５５による再生制御のフローチャートである。図４は映像データを削除した場合のクリップ管理情報の変化の一例を示したものである。図５は素材削除部１５６による映像データ削除制御のフローチャートである。図６はクリップ管理情報を表示する画面を、また図７は再生画面を、それぞれ削除前と削除後について示す図である。
【００３８】
本発明の実施の形態１による映像編集装置の動作をＡ．再生、Ｂ．削除、Ｃ．削除実施後の再生、について、以下に図１から図７を用いて説明する。
【００３９】
Ａ．再生
使用者が入力手段１５７より再生の指示を与えると、ノンリニア映像再生手段は、シーケンス情報１０６に示された順に、各カットに対応するクリップ管理情報について図３のフローチャートを実行する。
【００４０】
ノンリニア映像再生手段１５５は、シーケンス情報１０６から最初に再生すべき映像はクリップ管理情報１０２が指しているカットの映像データであると解釈する。ノンリニア映像再生手段１５５は、クリップ管理情報１０２について、図３のフローを実行する。ステップ３０１でクリップ管理情報１０２の素材有無識別子を判別して、「素材あり」となるので、ステップ３０２で映像記録媒体１５０中の映像データのアドレスを解釈し、クリップ管理方法１０２のアドレスの示す映像データを映像記録媒体１５０から読み出してステップ３０３で再生し、表示部１５３に表示する。こうしてカットＡが再生される。
【００４１】
次にノンリニア映像再生手段１５５は、シーケンス情報１０６から、クリップ管理情報１０２に続いて再生すべき映像は、クリップ管理情報１０４が指している映像であると解釈する。そしてクリップ管理情報１０４について図３のフローチャートが実行される。ここでは、前述の通りいずれのカットもステップ３０１の判定では「素材あり」であるので、以下同様にして、ステップ３０２からステップ３０６が実行されることにより、カットＣ→カットＢ…と再生される。この時の再生画面は図７の(a) のようになる。
【００４２】
Ｂ．削除
図５のフローチャートに従って、図４に示すクリップ管理情報１０４の映像データ、すなわちカットＣの削除の場合について説明する。
【００４３】
使用者は例えば図２の画面により各カットを確認し、ここではカットＣを削除するものと決定したとして、入力手段１５７よりカットＣについて映像データ削除の指示を出すと、素材削除部１５６は削除する映像データは、クリップ管理情報１０４の指している映像データであると解釈する。ステップ５０１で１０４の素材有無識別子４０２を判別し、もし素材なしであるならば、ステップ５０４において削除を中止するが、この場合素材ありとなるので、ステップ５０２で、クリップ管理情報１０４より、映像データのアドレス４０１を得て、映像記録媒体１５０中からこの領域に該当するカットＣの映像データを削除し、ステップ５０３では、図４の４０２→４０３に示すように、クリップ管理情報１０４の素材有無識別子を「素材なし」に設定する。
【００４４】
この結果をクリップ管理情報表示部１５４によって画面で確認する場合には、表示画面は削除前の図６(a) から図６(b)のように変更される。クリップ管理情報表示部は、素材有無識別子によって表示形式を変更する機能があるので、素材有無識別子が「素材なし」を示すようになった、クリップ管理情報１０４の示すカットＣについては、映像データの削除がなされたことを示す表示をするようになる。図６は表示形式の一例であり、「素材あり」の場合はそのままカット中の１画面、「素材なし」の場合はカット中の１画面にあらかじめ記録された×印の画面を併せて表示するものとしてある。
【００４５】
Ｃ．削除実施後の再生
使用者が入力手段１５７より再生の指示を与えると、ノンリニア映像再生手段１５５は、「Ａ．再生」と同様にシーケンス情報１０６に示された順に、各カットに対応するクリップ管理情報について図３のフローチャートを実行する。
【００４６】
クリップ管理情報１０２が示すカットＡについては、「Ａ．再生」と同様にして、ステップ３０２〜３０６の実行により、カットＡが再生される。
【００４７】
次にノンリニア映像再生手段１５５は、シーケンス情報１０６から、クリップ管理情報１０２に続いて再生すべき映像は、クリップ管理情報１０４が指している映像であると解釈する。ステップ３０１で１０４の素材有無識別子を判別すると、今度は「素材なし」となるので、ステップ３０４では映像記録媒体１０１中の代替映像データのアドレスを読み取り、ステップ３０５でそのアドレスの示す代替映像データを再生し、ステップ３０６で表示部１５３に表示する。
【００４８】
この時の再生画面は図７(b) のようになり、カットＣに相当する部分では、データ削除が行われたことが分かる代替映像が再生される。
【００４９】
以下同様に、シーケンス情報を順次解釈し、映像記録媒体１５０から映像データ又は代替映像データを再生する。
【００５０】
本実施の形態１によるノンリニア映像編集装置では、クリップ管理情報の一部として素材有無識別子を設け、あるデータを削除する際には、素材削除部が該データを映像記録媒体から削除するとともに、クリップ管理情報の素材有無識別子を付け替えることによって、データが削除された場合でもクリップ管理情報とシーケンス情報とは保存し、クリップ管理情報表示手段によってこれを確認でき、また、再生にあたってはノンリニア映像再生手段が素材有無識別子の判別によって、データの削除された部分については代替映像を再生するので、使用者は一部のデータが削除された編集結果についても、その概要を把握することができ、編集情報を後の編集に利用することが可能となる。
【００５１】
実施の形態２．
本発明の実施の形態２によるノンリニア映像編集装置は、映像データを削除した場合でも編集情報を保存でき、かつ必要に応じて編集情報に基づき削除したデータをＶＴＲより再録画することが可能なものである。
【００５２】
図８は本発明の実施の形態２によるノンリニア映像編集装置の構成を示すブロック図である。図において、クリップ管理情報記憶手段１５２に記憶されるクリップ管理情報は、映像記録媒体中のデータのアドレスと素材有無識別子とに加えて、テープ識別子とテープ内タイムコードとを情報として持つもので、これらはテープ媒体よりランダムアクセス可能な映像記録媒体１５０に録画が行われる際に記録されるもので、テープ識別子はテープを特定するために、テープ内タイムコードはテープ媒体中のデータの所在位置を特定するためのものである。１５８は再録画手段であって、使用者によって指定されたカットについて、その映像データが削除されていた場合に、該当するクリップ管理情報中のテープ識別子とテープ内タイムコードとに基づいてＶＴＲを再生して該当する映像を映像データとして映像記録媒体１５０に録画（再録画）し、クリップ管理情報中の設定を変更する。１５９はＶＴＲであって、編集装置の制御を受けてテープ媒体の再生を行い、映像データを出力する。他の符号については実施の形態１と同じなので説明を省略する。図９は、映像データの再録画を行った場合のクリップ管理情報の変化の一例を示したものである。図１０は再録画手段１５８での再録画制御のフローチャートである。
【００５３】
本実施の形態２による編集装置は、「再生」、「削除」、「削除後の再生」の際の動作については、実施の形態１の編集装置と同様の動作（実施の形態１のＡ．〜Ｃ．）となるので説明を省略し、再録画に際しての動作を以下に図８から図１０を用いて説明する。ここでは「Ｂ．削除」で削除したカットＣについて必要性が生じて「Ｄ．再録画」を実行する、という場合について説明する。
【００５４】
Ｄ．再録画
使用者は例えば図６(b) の画面により各カットを確認し、ここではカットＣを再録画するものと決定したとする。図１０のフローにおいて、入力手段１５７よりカットＣについて再録画の指示が出されると、再録画手段１５８はステップ１００１でカットＣに該当するクリップ管理情報１０４の素材有無識別子９０３を判別する。もし、素材有無識別子が「素材あり」を示している場合には、再録画の必要がないので、ステップ１００２において再録画動作を中止するが、ここでは素材有無識別子９０３は「素材なし」と判別されるので、再録画手段１５８はステップ１００３でＶＴＲ１５９を駆動し、クリップ管理情報１０４のテープ識別子９０４に合致するテープを識別する。続いて、ステップ１００４でクリップ管理情報１０４のテープ内タイムコード９０２に示された区間のＶＴＲ用テープを再生すると共に、映像記録媒体１５０を駆動し、９０２のタイムコード区間の映像を映像記録媒体１５０に映像データとして再録画する。
【００５５】
そして、再録画手段１５８は、ステップ１００５で、図９の９０３→９０６に示すようにクリップ管理情報１０４の素材有無識別子を「素材あり」に設定し、ステップ１００６でクリップ管理情報１０４の指す映像記録媒体１５０中の映像データのアドレスについて、図９の９０１→９０５のように、再録画した映像データを映像記録媒体１５０に記録した記録位置を指すように９０５のアドレスを設定して、再録画が完了する。
【００５６】
再録画後のクリップ管理情報の表示は再び図６(a) のようになり、再生を行う場合には、図７(a) のようにカットＣが再生されるようになる。
【００５７】
本実施の形態２による編集装置においては、クリップ管理情報の一部としてテープ識別子とテープ内タイムコードとを記録しておき、再録画手段が素材有無識別子によって再録画の必要性を判断の上、これらによってＶＴＲよりデータを再録画することが可能となる。実施の形態１で示したように、削除を実施した後に保存された編集情報をクリップ情報の表示により、あるいは代替映像を含む再生により確認して、削除したデータに対する必要性が認められた際には、再録画の指示により容易に削除したデータと同じものを得ることが可能となる。
【００５８】
実施の形態３．
本発明の実施の形態３によるノンリニア映像編集装置は、再録画が可能であり、かつ編集情報を圧縮率を変更して複写可能なものである。
【００５９】
図１１は本発明の実施の形態３によるノンリニア映像編集装置の構成を示すブロック図である。一般に映像を映像データとして記録するにあたっては様々な圧縮率が用いられるが、映像記録媒体１５０は異なる圧縮率による映像データの記録が可能なものである。クリップ管理情報記憶手段１５２に記憶されるクリップ管理情報については、映像記録媒体中のデータのアドレス、素材有無識別子、テープ識別子、及びテープ内タイムコードに加えて映像データの圧縮率が含まれ、該当するカットの映像データが記録された際にその時の圧縮率をクリップ管理情報に含まれる情報として記憶させておくものである。１６０はクリップ管理情報複写部であって、既存のクリップ管理情報を複写して、使用者が指定する新たな圧縮率でのクリップ管理情報を作成し、複写元と複写先のクリップ管理情報の圧縮率が一致しない場合には、複写先のクリップ管理情報中の素材有無識別子を「素材なし」に設定する。他の符号の構成要素については実施の形態１、２と同じなので説明を省略する。図１２は、クリップ管理情報を異なる圧縮率で複写した場合のクリップ管理情報の変化の一例を示したものである。図１３はクリップ管理情報複写部１６０での複写制御のフローチャートである。
【００６０】
本実施の形態３による編集装置は、「再生」、「削除」、「削除後の再生」の際の動作については、実施の形態１の編集装置と同様（実施の形態１のＡ．〜Ｃ．）であり、再録画については実施の形態２の編集装置と同様（実施の形態２のＤ．）の動作となるので説明を省略し、クリップ管理情報の複写に際しての動作を以下に図１１から図１３を用いて説明する。
【００６１】
異なる圧縮率で映像データを記録できる映像記録媒体１５０には、圧縮率１でカットＡとカットＤとが、圧縮率２でカットＢとカットＣが記録されているものとする。ただし、圧縮率１と圧縮率２は異なる圧縮率とする。クリップ管理情報記憶手段１５２に記憶されているクリップ管理情報については、カットＡ及びカットＤに該当するクリップ管理情報１０２と１０５は「圧縮率１」という情報を、またカットＢ及びカットＣに該当するクリップ管理情報１０３と１０４は「圧縮率２」という情報を、これらカットが映像データとして記録された際に与えられた情報として保持している。
【００６２】
ここでは、図１２に示すように圧縮率１で記録されたカットＡを示すクリップ管理情報１０２を複写して、圧縮率２におけるクリップ管理情報１２００を作成する場合について説明する。
【００６３】
Ｅ．クリップ管理情報複写
図１３のフローにおいて入力手段１５７よりカットＡについて、圧縮率２での複写の指示がなされると、クリップ管理情報複写部１６０はカットＡに該当するクリップ管理情報１０２をクリップ管理情報記憶手段１５２から読み出して、ステップ１３０１においてクリップ管理情報１０２に基づいて複写を行って新しいクリップ管理情報１２００を作成し、ステップ１３０２では、クリップ管理情報１２００の圧縮率１２０７を指定通り「圧縮率２」に設定する。クリップ管理情報複写部１６０は次にステップ１３０３で、複写元（１０２）と複写先（１２００）のクリップ管理情報の圧縮率、１２０５と１２０７とを比較する。この場合圧縮率１と圧縮率２であって、複写元と複写先で圧縮率が異なるので、ステップ１３０６で複写先（１２００）の素材有無識別子１２０６を「素材なし」に設定する。新しいクリップ管理情報１２００は１０２〜１０４同様クリップ管理情報記憶手段１５２に記憶される。
【００６４】
もし、ステップ１３０３において、複写元と複写先のクリップ管理情報中の圧縮率が等しい場合には、ステップ１３０４で複写先の素材有無識別子を「素材あり」に設定し、ステップ１３０５でクリップ管理情報の指す映像データのアドレスを複写元と同じ映像データを指すように設定する。
【００６５】
複写後に、圧縮率を変えて複写されたクリップ管理情報を含むシーケンス情報についての再生が行われた場合には、例えばクリップ管理情報１２００について再生が指令されたならば、「Ｃ．削除後の再生」と同様に再生制御のフロー図、図３のステップ３０１において、素材有無識別子が「素材なし」であるので、ステップ３０５において代替映像が再生される。
【００６６】
圧縮率を同じとして複写を行っていた場合には、クリップ管理情報１２００のアドレスはクリップ管理情報１０２の示すカットＡと同じものとなるので、同じ圧縮率１におけるカットＡが再生されることになる。
【００６７】
また、クリップ管理情報の複写によって圧縮率以外の情報、すなわちテープ識別子及びテープ内タイムコードをも複写するように設定されていて、かつ再録画手段１５８がクリップ管理情報の圧縮率を解釈して、該圧縮率で映像データを映像記録媒体１５０に記録する機能を有するものであれば、クリップ管理情報１２００による新しい方の圧縮率２における画像を見たいという要望があるならば、クリップ管理情報１２００を指定して再録画を指示することにより、テープ識別子とテープ内タイムコードについてはクリップ管理情報１０２の複写であって、カットＡを記録した時のものとなっているので、再録画手段１５８によって容易にＶＴＲより該映像データを望む圧縮率で録画し、その後はこれを再生することができる。
【００６８】
本発明の実施の形態３による編集装置では、クリップ管理情報の一部として映像データの圧縮率を記録し、クリップ管理情報複写部により、編集情報を保存して圧縮率を変更することが可能となるので、従来の編集装置のように、異なる圧縮率での編集に際しては、先の圧縮率での編集結果を全く放棄するのではなく、保存して参照することができる。更に、クリップ管理情報複写の際に圧縮率以外の情報を複写でき、また再録画手段がクリップ管理情報の圧縮率によって、再録画を行えるものであれば、再録画の指示により、編集情報をそのままにして、別の圧縮率による映像データを得ることも容易に可能となる。
【００６９】
一般に映像データ等については、圧縮率が大きいほど記録媒体に占める容量は低減するが、再生時の画質は低下する。従って、かかる編集装置によれば、記録媒体上に大きな容量を占めることなく高圧縮率のデータを用いて編集を行い、十分編集がなされたところでこれを画質の良い低圧縮率のものにする際には、クリップ管理情報を圧縮率を変更してコピーし、再録画を指示することで、高圧縮率のデータでの編集結果を活用が可能となり、記録媒体を有効に利用する上で効果的な手法を提供できる。
【００７０】
実施の形態４．
本発明の実施の形態４によるノンリニア映像編集装置は、第二の記録媒体に対するバックアップと元の映像記録媒体へのリストアが可能なものである。
【００７１】
図１４は本発明の実施の形態４によるノンリニア映像編集装置の構成を示すブロック図である。図において、１６１は第二の映像記録媒体であって、ストリーマやディスク装置等で実現され、映像データをバックアップ目的で記録する。従って高速性やランダムアクセス性は必ずしも必要とせず、低速でシーケンシャルアクセスのみのテープ媒体によるものであっても良い。クリップ管理情報記憶手段１５２に記憶されるクリップ管理情報は、クリップ識別子とバックアップ識別子を情報として保持して記憶される。クリップ識別子はクリップ管理情報が特定されるもので、クリップ管理情報が作成された際に付与される。ここでは例えば１０２〜１０５の番号がクリップ管理情報が作成された際に付与されたとする。また、バックアップ識別子は、第二の映像記録媒体へのバックアップが行われたかどうかを示すもので、映像データが記録されたのみの時点では「バックアップなし」となっており、バックアップが実行された時点で「バックアップあり」に設定されるものである。１６２はバックアップ部であって、あるクリップ管理情報の指す映像記録媒体中の映像データを、クリップ管理情報中のクリップ識別子とともに、ストリーマ等の第二の映像記録媒体に複写する。１６３はリストア部であって、クリップ識別子に基づいて映像データを第二の映像記録媒体から再複写する。他の符号については実施の形態１と同じなので説明を省略する。図１５は、バックアップ、リストア、及びデータの削除前後におけるクリップ管理情報の変化を示したものである。ここで図１５はカットＡに対応するクリップ管理情報１０２を示すものであり、クリップ識別子として「１０２」を有しているものとする。図１６はバックアップ部によるバックアップ制御のフローチャート、図１７はリストア部によるリストア制御のフローチャートである。
【００７２】
本実施の形態４による編集装置は、「再生」、「削除」、「削除後の再生」については、実施の形態１の編集装置と同様の動作（実施の形態１のＡ．〜Ｃ．）となるので説明を省略し、バックアップ、バックアップ後の削除、及びリストアに際しての動作を以下に図１４から図１７を用いて説明する。
【００７３】
Ｆ．バックアップ
図１６のフローにおいて、入力手段１５７より使用者がカットＡのバックアップを指示したとする。バックアップ部１６２はステップ１６０１でカットＡに対応するクリップ管理情報１０２の素材有無識別子を判別する。素材有無識別子が「素材なし」を示す時にはステップ１６０４でバックアップを中止するが、素材有無識別子１５０３から「素材あり」なので、ステップ１６０２でバックアップ部１６２は、映像記録媒体１５０と第２の映像記録媒体１６１とを駆動して、クリップ管理情報１０２中のクリップ識別子１５０２「１０２」と共にクリップ管理情報１０２の指す映像データであるカットＡを映像記録媒体１５０から読み出して第二の映像記録媒体１６１に記録する。そして、ステップ１６０３で図１５の１５０４→１５０５に示すように、クリップ管理情報１０２のバックアップ識別子をバックアップ済みであることを示す状態「バックアップあり」に設定して、バックアップが完了する。
【００７４】
Ｇ．バックアップ後の削除
次に、このバックアップ済みの映像データであるカットＡを削除する場合、実施の形態１のＢ．に示したように、素材削除部１５６によって削除が行われる。この結果、映像記録媒体１５０中の映像データカットＡは削除され、図１５の１５０３→１５０６のように、変更後のクリップ管理情報１０２の素材有無識別子は「素材なし」に設定される。
【００７５】
Ｈ．リストア
こうして作られたバックアップ済みで映像データのない、元のカットＡであるクリップ管理情報１０２の映像データについてリストアを行った場合については、以下のような動作となる。
【００７６】
図１７のフローチャートにおいて、入力手段１５７より上記のようなクリップ管理情報１０２に対し、リストアの指示を出すと、リストア部１６３はステップ１７０１で素材有無識別子の判別を行う。「素材あり」ならばリストアの必要がないので、ステップ１７０２でリストアは中止されるが、素材有無識別子１５０６から「素材なし」なので、ステップ１７０３でバックアップ識別子の判別が行われる。ここで、バックアップ識別子が「バックアップなし」の場合も、リストアできないので、ステップ１７０２でリストアは中止される。ここではバックアップ識別子１５０５から「バックアップあり」であるので、リストア部１６３は、ステップ１７０４でクリップ管理情報１０２のクリップ識別子「１０２」と合致するクリップ識別子「１０２」を持った映像データを第２の映像記録媒体１６１から検索する。見つかれば、ステップ１７０５で元のカットＡと同じものであるその映像データを第二の映像記録媒体１６１から映像記録媒体１５０へ再録画し、ステップ１７０６で図１５の１５０６→１５０８に示す通りクリップ管理情報１０２の素材有無識別子１５０８を「素材あり」に設定する。最後に、ステップ１７０７で図１５の１５０１→１５０７のようにクリップ管理情報１０２の映像データのアドレスを再録画された映像データを指すように設定する。リストアによって、元のカットＡを含んだ編集情報についての再生等においては、カットＡを削除する前と同様になる。
【００７７】
本実施の形態４による編集装置では、クリップ管理情報の一部として、クリップ管理情報を特定できるクリップ識別子を記録しておき、バックアップ部により、映像データのバックアップをストリーマなど第二の映像記録媒体に記録する際に、クリップ識別子も合わせて記録しておくことにより、映像記録媒体から映像データを削除した場合にも、リストア部が第二の記録媒体に記録したクリップ識別子に基づいて検索を行い、容易に復元することが可能となる。
【００７８】
【発明の効果】
請求項１にかかるノンリニア映像編集装置によれば、クリップ管理情報に素材有無識別子を設け、映像データを削除する際には素材削除部がこの素材有無識別子を書き換えることにより、編集結果を保存するので、映像データを削除した場合にも、それまでの編集結果を保存し、応用することが可能となる。
【００７９】
請求項２にかかるノンリニア映像編集装置によれば、編集結果が保存されることに加えて、クリップ管理情報表示部により、クリップ管理情報を視覚的に確認することが可能になり、このクリップ管理情報の表示にあたっては素材有無識別子によって表示形式が変更されるので、映像データ削除の有無も含めて編集結果を容易に確認可能である。
【００８０】
請求項３にかかるノンリニア映像編集装置によれば、編集結果が保存されることに加えて、削除された映像データを含む編集結果の再生にあたっては、削除された部分について代替映像を再生することになるので、再生に際しても編集及び削除の履歴を視覚的に容易に確認することができる。
【００８１】
請求項４にかかるノンリニア映像編集装置によれば、編集結果が保存されることに加えて、クリップ管理情報の一部として映像データの圧縮率を記録し、クリップ管理情報複写部により、圧縮率を変更してクリップ管理情報を複写することができ、また圧縮率の変更されたクリップ管理情報の示す映像データについては、削除によってデータの存在しない場合と同等に扱うことができるようになり、ある圧縮率における編集結果を別の圧縮率で編集を行う場合にも応用することが可能となる。
【００８２】
請求項５にかかるノンリニア映像編集装置によれば、編集結果が保存されることに加えて、クリップ管理情報の一部としてＶＴＲ上でのデータの所在を特定するテープ識別子及びテープ内タイムコードを記録し、再録画手段により、削除された映像データについてもこれらテープ識別子及びテープ内タイムコードによって容易にＶＴＲから再録画して、再度映像データを得ることができる。
【００８３】
請求項６にかかるノンリニア映像編集装置によれば、編集結果が保存されることに加えて、クリップ管理情報の一部として、クリップ管理情報を特定できるクリップ識別子と、第二の映像記録媒体中のバックアップの存在有無を示すバックアップ識別子とを記録し、バックアップ指示がある際には、バックアップ部が映像データとともにクリップ識別子をストリーマ等第二の記録媒体に保存することによって、リストアの指示によって復元が指示された場合には、リストア部によって、第二の媒体の記録中でクリップ識別子を検索することにより、容易に求める映像データを第二の媒体から復元することが可能となる。
【００８４】
以上のように本発明は、カットを示すクリップ管理情報に様々な情報を保持する部分を設けることにより、映像記録媒体内の映像データがない場合でも、クリップ管理情報によって編集情報が活用できるようにした。
【００８５】
これにより、編集情報を残しての映像データの削除、ＶＴＲ用のテープからの再録画を容易にし、ストリーマなどへのバックアップをも可能にし、限られた映像記録媒体容量を有効に利用した映像編集操作が容易に行えるようになる。
【００８６】
なお、発明の実施の形態では編集対象を映像として述べてきたが、音声についても映像と同様にデータとして扱い得るものである。
【００８７】
また、映像記録媒体に記録する原画の入った映像媒体をＶＴＲに限って述べたが、レーザーディスク（ＬＤ）など他の媒体を使用することも可能である。
【図面の簡単な説明】
【図１】本発明の実施の形態１におけるノンリニア映像編集装置のブロック図である。
【図２】本発明の実施の形態１におけるクリップ管理情報表示部による、クリップ管理情報の画面表示を示す図である。
【図３】本発明の実施の形態１における編集装置のノンリニア映像再生手段の再生制御フローチャートである。
【図４】本発明の実施の形態１における、映像データ削除時のクリップ管理情報の変化を示す図である。
【図５】本発明の実施の形態１における編集装置の素材削除部の映像データ削除制御フローチャートである。
【図６】本発明の実施の形態１におけるクリップ管理情報表示部による削除前(a) と削除後(b) の画面表示を示す図である。
【図７】本発明の実施の形態１におけるシーケンス情報再生の削除前(a) と削除後(b) の画面表示を示す図である。
【図８】本発明の実施の形態２におけるノンリニア映像編集装置のブロック図である。
【図９】  本発明の実施の形態２における、映像データの再録画を行なった場合のクリップ管理情報を示す図である。
【図１０】本発明の実施の形態２における編集装置の再録画手段の再録画制御フローチャートである。
【図１１】本発明の実施の形態３におけるノンリニア映像編集装置のブロック図である。
【図１２】本発明の実施の形態３における、異なる圧縮率でクリップ管理情報を複写した場合のクリップ管理情報の変化を示す図である。
【図１３】本発明の実施の形態３における編集装置のクリップ管理情報複写部の複写制御フローチャートである。
【図１４】本発明の実施の形態４におけるノンリニア映像編集装置のブロック図である。
【図１５】本発明の実施の形態４における、映像データ削除時のクリップ管理情報の変化を示す図である。
【図１６】本発明の実施の形態４における編集装置のバックアップ部のバックアップ制御フローチャートである。
【図１７】本発明の実施の形態４における編集装置のリストア部のリストア制御フローチャートである。
【図１８】従来のノンリニア映像編集装置のブロック図である。
【図１９】従来のノンリニア映像編集装置におけるカット表示部による画面表示を示す図である。
【図２０】ノンリニア映像編集装置を説明するための図である。
【符号の説明】
１０２、１０３、１０４、１０５  クリップ管理情報
１０６    シーケンス情報
１５０    映像記録媒体
１５１    シーケンス情報記憶手段
１５２    クリップ管理情報記憶手段
１５３    表示部
１５４    クリップ管理情報表示部
１５５    ノンリニア映像再生手段
１５６    素材削除部
１５７    入力手段
１５８    再録画手段
１５９    ＶＴＲ
１６０    クリップ管理情報複写部
１６１    第二の映像記録媒体
１６２    バックアップ部
１６３    リストア部
１８５０    映像記録媒体
１８０１    シーケンス情報
１８５５    空き領域管理部
１８５４    削除部
１８５３    ノンリニア映像再生手段
１８５１    表示部
１８５２    カット表示部
１８５６    入力手段
【図１】
0003754997.tif 000002
【図２】
0003754997.tif 000003
【図３】
0003754997.tif 000004
【図４】
0003754997.tif 000005
【図５】
0003754997.tif 000006
【図６】
0003754997.tif 000007
【図７】
0003754997.tif 000008
【図８】
0003754997.tif 000009
【図９】
0003754997.tif 000010
【図１０】
0003754997.tif 000011
【図１１】
0003754997.tif 000012
【図１２】
0003754997.tif 000013
【図１３】
0003754997.tif 000014
【図１４】
0003754997.tif 000015
【図１５】
0003754997.tif 000016
【図１６】
0003754997.tif 000017
【図１７】
0003754997.tif 000018
【図１８】
0003754997.tif 000019
【図１９】
0003754997.tif 000020
【図２０】
0003754997.tif 000021